(57)【要約】【課題】大きな鍋を使用した場合であってもガード板を加熱することなく安全に使用でき、大きさの違う各種のレンジに対応できる開閉式のレンジガードを提供する。【解決手段】上記課題を解決するために、本発明のレンジガード１は、幅広の大ガード板３と幅狭の小ガード板５を含む複数枚のガード板を備えている。また小ガード板５には、小ガード板５拡開時に大ガード板３を伴って２つのガード板３、５が同時に回動するように連結する係止部材１７が設けられている。また小ガード板５の幅寸法は大ガード板３側のコンロＣに直径３０ｃｍの鍋Ａを載せた時、鍋Ａと小ガード板５との間に２０ｍｍ以上の間隙Ｓが形成されるように設定されている。また支持ステイ２５の取付位置がレンジの高さ寸法に応じて可変できるようになっている。【選択図】        図８
2005195213.tif 000002
【特許請求の範囲】
【請求項１】
レンジ背面側の上部に回動支点を有し、起立姿勢では、油の飛散を防止する油飛散防止ガードとして使用でき、倒伏姿勢では、レンジ上面を覆う水平な載置台として使用できる開閉式のレンジガードにおいて、レンジガードは幅広の大ガード板と幅狭の小ガード板を含む複数枚のガード板を備えていることを特徴とするレンジガード。
【請求項２】
請求項１に記載のレンジガードにおいて、小ガード板には小ガード板拡開時に大ガード板を伴って同時に回動するように連結する係止部材が設けられていることを特徴とするレンジガード。
【請求項３】
請求項１または２に記載のレンジガードにおいて、小ガード板の幅寸法は小ガード板のみを閉じて倒伏姿勢とし、大ガード板側のコンロに直径３０ｃｍの鍋を載せた時、鍋と小ガード板との間に２０ｍｍ以上の間隙が形成されるように設定されていることを特徴とするレンジガード。
【請求項４】
請求項１〜３のいずれかに記載のレンジガードにおいて、レンジガードはレンジ底面に設置される支承台と、支承台の後部側方から立ち上げられる支持ステイと、支持ステイの上部において水平に架設され、ガード板の回動支点として作用する支持バーと、支持ステイ上端に形成された係合溝と係合する係合ピンを備えたガード板とを備えていることを特徴とするレンジガード。
【請求項５】
請求項４に記載のレンジガードにおいて、支承台に対する支持ステイの取付位置が、適用するレンジの高さ寸法に応じて可変できるよう、調節自在に構成されていることを特徴とするレンジガード。
【発明の詳細な説明】
【技術分野】
【０００１】
本発明は、例えばレンジ台等の上に載置される載置式のガスレンジ等に対して装着され、油飛散防止ガード及び載置台として使用できる開閉式のレンジガードに関するものである。
【背景技術】
【０００２】
ガスレンジ等を使用する場合には、油等が周囲に飛散してガスレンジ周辺を汚すのを防止したり、ガスレンジの炎や輻射熱を遮る目的でガスレンジの背面上方を覆う油飛散防止ガードが設置されている。最も簡易なものは比較的厚手のアルミ箔製、あるいは台紙の表面に薄手のアルミ箔を貼設した衝立式の構造のものであるが、このような簡易な構造では、剛性が弱く、簡単に動いてしまうため、最近ではスチール製の頑強なタイプのレンジガードが広く使用されている。
【０００３】
またスチール製のレンジガードには下記特許文献１に示すように、２枚の開閉式の蓋板を備える構造のものが存在する。このものは油の飛散を防止する遮蔽板としての機能に加え、台所用品を載置する置台としての機能を兼ね備えている。そしてレンジに２つのコンロが設けられている場合には、２枚の蓋板をいっしょに拡開して同時に遮蔽板として使用したり、同時に閉めて共に蓋板として使用する他、一方の蓋板のみを拡開して遮蔽板として使用し、他方の蓋板を閉めて、置台として別々に使用する使用形態を採用することも可能である。
【０００４】
しかし、このように別々に使用する使用形態を採用した場合、直径３０ｃｍに及ぶような比較的大きな鍋やフライパン等を使用すると、置台として使用している蓋板と鍋等が極めて接近した状態になるため、鍋等の輻射熱が置台として使用している蓋板に伝達し、加熱され高温になる場合がある。従ってこのように高温となった蓋板を手で触れば火傷等のおそれがあり、安全対策上問題であり改良が望まれていた。またガスレンジには幅寸法及び高さ寸法の違う幅５９０ｍｍ、高さ１８０ｍｍのものと、幅５６０ｍｍ、高さ１７０ｍｍのものの主に２種類があり、これらの双方に対応し得るレンジカバーは存在していなかった。
【特許文献１】特開２０００−６５３６２号公報
【発明の開示】
【発明が解決しようとする課題】
【０００５】
本発明は、このような背景技術及び背景技術が抱えていた問題点を踏まえてなされたものであって、比較的大きな鍋等を使用した場合であってもガード板を加熱することなく安全に使用でき、大きさの違う各種のレンジに対応できる開閉式のレンジカバーを提供することを課題とするものである。
【課題を解決するための手段】
【０００６】
上記課題を解決するために請求項１に記載の発明は、レンジ背面側の上部に回動支点を有し、起立姿勢では、油の飛散を防止する油飛散防止ガードとして使用でき、倒伏姿勢では、レンジ上面を覆う水平な載置台として使用できる開閉式のレンジガードにおいて、レンジガードは幅広の大ガード板と幅狭の小ガード板を含む複数枚のガード板を備えていることを特徴とするレンジガードである。
【０００７】
請求項２に記載の発明は、請求項１に記載のレンジガードにおいて、小ガード板には小ガード板拡開時に大ガード板を伴って同時に回動するように連結する係止部材が設けられていることを特徴とするレンジガードである。
【０００８】
請求項３に記載の発明は、請求項１または２に記載のレンジガードにおいて、小ガード板の幅寸法は小ガード板のみを閉じて倒伏姿勢とし、大ガード板側のコンロに直径３０ｃｍの鍋を載せた時、鍋と小ガード板との間に２０ｍｍ以上の間隙が形成されるように設定されていることを特徴とするレンジガードである。
【０００９】
請求項４に記載の発明は、請求項１〜３のいずれかに記載のレンジガードにおいて、レンジガードはレンジ底面に設置される支承台と、支承台の後部側方から立ち上げられる支持ステイと、支持ステイの上部において水平に架設され、ガード板の回動支点として作用する支持バーと、支持ステイ上端に形成された係合溝と係合する係合ピンを備えたガード板とを備えていることを特徴とするレンジガードである。
【００１０】
請求項５に記載の発明は、請求項４に記載のレンジガードにおいて、支承台に対する支持ステイの取付位置が、適用するレンジの高さ寸法に応じて可変できるよう、調節自在に構成されていることを特徴とするレンジガードである。
【発明の効果】
【００１１】
本発明のレンジガードは、幅寸法を異ならせた大ガード板と小ガード板を供えたことにより、大ガード板を油飛散防止ガード、小ガード板を載置台として使用する場合において、比較的大きめの直径３０ｃｍの鍋等を使用しても載置台として使用されている小ガード板との間には十分な間隙が形成されているから、小ガード板の過度の加熱は防止される。またレンジのサイズに対応して調節し得る構成を備えたことにより単一のレンジガードをサイズの違う複数のレンジに対して適用することが可能となる。またガード板と支持バーとの係合状態をガード板に形成した係合溝と支持バーとによって行っているから、左右のガード板をレンジの設置場所等に対応して入れ替えて使用することが可能となり、起立姿勢のガード板を保持するロック機構としても使用でき、使い勝手もよい。
【発明を実施するための最良の形態】
【００１２】
以下、図示の実施例を例にとって、本発明のレンジガードを実施するための最良の形態について説明する。図１は本発明に係るレンジガードを装着したレンジを示す、レンジガードが起立姿勢にある時の斜視図である。図２は同上、レンジガードが倒伏姿勢にある時の斜視図である。図３は起立姿勢のレンジガードを示す正面図、図４は同上、平面図である。また図５は起立姿勢のレンジガードを示す側面図、図６は倒伏姿勢のレンジガードを示す側面図である。また図７はガード板の回動支点周辺を拡大して示す斜視図、図８は一方のガード板が起立姿勢、他方のガード板が倒伏姿勢にある時のレンジガードを示す正面図である。
【実施例１】
【００１３】
本実施例にかかるレンジガード１は、幅広の大ガード板３と幅狭の小ガード板５との２枚のガード板によって構成される２分割式のガード板対７を備えている。大ガード板３と小ガード板５は一例としてステンレス鋼板を曲成加工することによって形成されており、実質的に油飛散防止ガードあるいは載置台として機能する天板９と、その周縁を下方に折り曲げることによって形成される側周部１１とを有している。
【００１４】
また大ガード板３の幅寸法は一例として３２６ｍｍ、小ガード板５の幅寸法は２６４ｍｍ、両者を後述する支持バー１３に係合させた状態における両者の間隙を約１２ｍｍに設定した。このような割合の寸法設定を採用した場合には、図８に示すように大ガード板３を上方に拡開して起立姿勢とし、小ガード板５を下方に倒して倒伏姿勢とした状態で直径３０ｃｍの比較的大型の鍋ＡをコンロＣに載せた時、鍋Ａと小ガード板５の内側の側周部１１との間には約２５ｍｍの間隙Ｓが形成される。この間隙Ｓは鍋Ａからの輻射熱の伝達のおそれが回避される２０ｍｍを更に５ｍｍ程度上回っており、火傷等のおそれを回避し使用時の安全性を高めている。
【００１５】
大ガード板３と小ガード板５の側周部１１の前面側左右の内方には脚部１５が設けられている。脚部１５はガード板７を倒伏姿勢とした時、天板９が水平な状態を維持し、ガード板７上の載置品Ｂを支承する支承部材として機能する。脚部１５としては一例として合成ゴム製のものが使用される。
また小ガード板５における中央より幾分前方寄りの内側の側周部１１には、大ガード板３側に張り出す係止部材１７が設けられている。この係止部材１７は小ガード板５を上方に拡開する場合に、大ガード板３を伴って２つのガード板３、５が同時に回動するように連結する役割を担っている。
【００１６】
大ガード３と小ガード板５の基端部における左右の側周部１１には図７に示すように長穴状の嵌合穴部１９が設けられている。嵌合穴部１９には、支持バー１３が内嵌しており、支持バー１３と嵌合穴部１９との上記嵌合作用によって大ガード板３と小ガード板５はそれぞれ別々に回動でき、所定ストローク、上下方向（長手方向）に摺動できる構成になっている。
また嵌合穴部１９の近傍、側周部１１の外側面には係合ピン２１が外方に向けて突出しており、レンジＲの底面に載置される支承台２３から立ち上げられている支持ステイ２５上端の係合溝２７と係合する。
【００１７】
係合ピン２１と係合溝２７はガード板３、５が倒伏姿勢あるいは起立姿勢に移行する途中の傾斜姿勢にあるときは非係合状態にあり、ガード板３、５が起立姿勢にある時に係合状態と非係合状態とを切り替えることができるようになっている。そして係合ピン２１が係合溝２７と係合した状態では、ガード板７の回動は規制されており、ガード板７の起立姿勢が保持されるようになっている。
【００１８】
支持ステイ２５は側面視Ｌ字形をした部材であり、下方の水平部分が支承台２３の後部側面に取り付けられる連結部２９になっている。連結部２９には先端寄りと中間付近の２つの位置に２個ずつ上下に取付穴３１が刻設されている。上下に設けられる取付穴３１は１０ｍｍピッチの間隔で設けられており、幅５９０ｍｍ、高さ１８０ｍｍのレンジＲに装着する場合には下方の取付穴３１を、幅５６０ｍｍ、高さ１７０ｍｍのレンジＲに装着する場合には上方の取付穴３１を選択してビス止めするようになっている。
【００１９】
また支持ステイ２５の上方に立ち上げられている部分が上述した係合溝２７が上端に形成されている支持部３３となっている。支持部３３の上端縁は円弧状に形成されており、ガード板３、５の回動時に問題となる係合ピン２１との干渉を防止している。また係合溝２７の近傍、幾分下方には左右の支持ステイ２５間に水平に架設されている丸棒状の支持バー１３が設けられている。
支承台２３は偏平な角箱状の部材であり、その前面及び底面は開放されていて図１、４に示すように引出し式の延長トレイ３５が２つ設けられている。また支承台２３の底面には図３、５、６に示すように脚部３７が設けられている。
【００２０】
次にこのようにして構成される本発明のレンジガード１の作動態様を（１）２枚のガード板を起立姿勢にして使用する場合、（２）大ガード板を起立姿勢、小ガード板を倒伏姿勢にして使用する場合、（３）２枚のガード板を倒伏姿勢にして使用する場合、（４）サイズの違うレンジに装着する場合に分けて説明する。
【００２１】
（１）２枚のガード板を起立姿勢にして使用する場合（図１、３、４、５、７参照）
例えばレンジＲに設けられている２つのコンロＣを同時に使用する場合の態様である。この場合には油等が広範囲に亘って飛散するおそれがあるから大ガード板３と小ガード板５を共に上方に拡開させて起立姿勢にする必要がある。
本実施例では小ガード板５に係止部材１７が設けられているから、小ガード板５のみを上方に回動させることによって大ガード板３と小ガード５の両方が上方に拡開するようになる。
大ガード板３と小ガード板５は起立姿勢に至ると、係合ピン２１が係合溝２７と係合し得る位置になって、係合溝２７の深さ分下方に移動して係合状態となり、起立姿勢が保持される。
【００２２】
（２）大ガード板を起立姿勢、小ガード板を倒伏姿勢にして使用する場合（図８参照）
図１、３、４、５、７に示す起立姿勢にある２枚のガード板３、５のうち、小ガード板５のみを幾分上方に持ち上げて係合ピン２１と係合溝２７との係合状態を解除した後、支持バー１３を回動支点として小ガード板５を下方に回動させて倒伏姿勢にする。この場合、小ガード板５に設けられている係止部材１７は大ガード板３には作用しないから両者の連結状態は解除されている。
そして直径３０ｃｍの鍋Ａを図８に示すように大ガード板３側のコンロＣ上に載置した場合に、鍋Ａと小ガード板５との間には前述の２５ｍｍ程度の間隙Ｓが形成されているからコンロＣを点火し鍋Ａを加熱した場合であっても、鍋Ａの輻射熱は小ガード板５には伝達されない。従って使用者は安心して小ガード板５の天板９上に適宜の載置品Ｂを載置でき、天板９に手を触れても火傷のおそれはない。
【００２３】
（３）２枚のガード板を倒伏姿勢にして使用する場合（図２、６参照）
例えばレンジＲを使用せず、レンジＲにおけるコンロＣの上面を覆って、コンロＣ内への埃や異物の進入を防止したい場合等に採用される態様である。この場合には、図１、３、４、５、７に示す起立姿勢にある２枚のガード板３、５を上方に持ち上げて係合ピン２１と係合溝２７との係合状態を解除した後、同時に下方に回動させて倒伏姿勢にする。尚、大ガード板３を下方に回動させようとすると、大ガード板３の内側の側周部１１の端面には小ガード板５における係止部材１７が当接するから、大ガード板３のみを倒伏姿勢にすることはできず、常に大ガード板３と小ガード板５の両方が倒伏姿勢に移行する。
【００２４】
（４）サイズの違うレンジに装着する場合（図５、６参照）
例えば幅５９０ｍｍ、高さ１８０ｍｍのレンジＲに装着してあったレンジガード１を幅５６０ｍｍ、高さ１７０ｍｍのレンジＲに装着し直す場合や、その逆の場合である。
この場合には、支持ステイ２５の連結部２９に刻設されている取付穴３１のうち、使用していなかった取付穴３１を選択し、ビス止めし直し、支持ステイ２５ないし支持ステイ２５に取り付けられている支持バー１３の高さを１０ｍｍ上方ないし下方に移動させる。
これによりガード板７の倒伏姿勢における水平状態が維持され、載置台としての使用が可能となる。
【００２５】
以上、本発明を実施するための最良の形態、その具体的実施例について詳述してきたが、具体的な構成はこれらの形態や実施例に限られるものではなく、本発明の要旨を逸脱しない範囲における設計の変更などがあっても本発明に含まれる。
例えば、支持ステイ２５と支承台２３を有せず、直接レンジＲに対してガード板７を回動自在に取り付ける構成のレンジガード１に対して適用することも可能である。また支承台２５の側縁を上下に立ち上げて正面視凹字状とし、立ち上げて形成した側板を支持ステイ２５として利用することも可能であるし、３つ以上のコンロＣを有するレンジＲに対応するため、ガード板３、５の形状を適宜の形状に変更したり、３枚以上のガード板を備えたりする構成も可能である。
【図面の簡単な説明】
【００２６】
【図１】本発明に係るレンジガードを装着したレンジを示す、レンジガードが起立姿勢にある時の斜視図である。
【図２】同上、レンジガードが倒伏姿勢にある時の斜視図である。
【図３】起立姿勢のレンジガードを示す正面図である。
【図４】同上、平面図である。
【図５】起立姿勢のレンジガードを示す側面図である。
【図６】倒伏姿勢のレンジガードを示す側面図である。
【図７】ガード板の回動支点周辺を拡大して示す斜視図である。
【図８】一方のガード板が起立姿勢、他方のガード板が倒伏姿勢にある時のレンジガードを示す正面図である。
【符号の説明】
【００２７】
１    レンジガード                  ３    大ガード板
５    小ガード板                    ７    ガード板対
９    天板                        １１    側周部
１３    支持バー                    １５    脚部
１７    係止部材                    １９    嵌合穴部
２１    係合ピン                    ２３    支承台
２５    支持ステイ                  ２７    係合溝
２９    連結部                      ３１    取付穴
３３    支持部                      ３５    延長トレイ
３７    脚部                        
Ａ    鍋                            Ｓ    間隙
Ｂ    載置品                        Ｒ    レンジ
Ｃ    コンロ
【図１】
2005195213.tif 000003
【図２】
2005195213.tif 000004
【図３】
2005195213.tif 000005
【図４】
2005195213.tif 000006
【図５】
2005195213.tif 000007
【図６】
2005195213.tif 000008
【図７】
2005195213.tif 000009
【図８】
2005195213.tif 000010